(57)【特許請求の範囲】
【請求項１】
光透過性を備えると共に透過光が散乱する軟質で可撓性の光散乱シートと、軟質で可撓性の基材シートとの間に、筒状スペーサを設けてあり、
前記筒状スペーサは、硬質で可撓性を備えた前面周壁部材の内面と、硬質で可撓性を備えた底部周壁部材の内面とを、空間を挟んで互いに対向するように、それらの両側部同士を接続して筒状に形成しており、前記筒状スペーサの端部に前記空間に投光可能な光源を設け、前記前面周壁部材を透明材料で形成し、前記底部周壁部材に光反射面を設けてあり、前記前面周壁部材を前記光散乱シート側に配置し、前記底部周壁部材を前記基材シート側に配置してある表示材。
【請求項２】
前記前面周壁部材と、前記底部周壁部材とを樋状に湾曲させて、それら湾曲内面どうしが前記空間を挟んで互いに対向するように設けてある請求項１に記載の表示材。
【請求項３】
前記筒状スペーサの内側を外部に対して気密に設けてある請求項１又は２のいずれか１項に記載の表示材。
【請求項４】
請求項１〜３のいずれか１項に記載の表示材を設けてある安全ベスト。
【発明の詳細な説明】
【技術分野】
【０００１】
本発明は、例えば夜間などの暗い環境下でも容易に視認できるようにしてある光表示装置に関する。
【背景技術】
【０００２】
上記光表示装置としては、従来、発光ダイオードを透明カバーで囲んで、発光ダイオードからの光を透明カバーを通して視認できるように構成したもの（例えば、特許文献１参照) や、発光ダイオードからの光を光伝達部材の材料中に伝搬させて、その光伝達部材の表面に分散して到達した光を視認できるように構成したもの（例えば、特許文献２参照) がある。
【特許文献１】実用新案登録第３０２０５４３号公報
【特許文献２】特開平１１−２５９０２５号公報
【発明の開示】
【発明が解決しようとする課題】
【０００３】
特許文献１記載の光表示装置は、発光ダイオードなどの小さな光源からの光を透明カバーを通して発光表示するに過ぎないので、表示面積が小さくて視認性が劣る欠点があるのに対し、特許文献２記載の光表示装置は、発光ダイオードなどの小さな光源を使用しながら、その発光ダイオードからの光を光伝達部材の材料中に伝搬させて、光伝達部材の表面に分散して到達した光を発光表示するので、表示面積が広くて視認性が優れている利点がある。
しかしながら、特許文献２記載の光表示装置は、小さな光源からの光を分散させるために中実の光伝達部材を設ける必要があるので、全体重量が重くなり易い欠点があり、特に、ジャケットなどの衣類やベルトなどに取り付けて人体に装着して使用するような場合には、装着者の作業性を損ない易い欠点がある。
本発明は上記実情に鑑みてなされたものであって、小さな光源を使用しても、表示面積が広くて視認性が優れ、全体重量の軽量化も図ることができるようにすることを目的とする。
【課題を解決するための手段】
【０００４】
本発明による表示材の第１特徴構成は、光透過性を備えると共に透過光が散乱する軟質で可撓性の光散乱シートと、軟質で可撓性の基材シートとの間に、筒状スペーサを設けてあり、前記筒状スペーサは、硬質で可撓性を備えた前面周壁部材の内面と、硬質で可撓性を備えた底部周壁部材の内面とを、空間を挟んで互いに対向するように、それらの両側部同士を接続して筒状に形成しており、前記筒状スペーサの端部に前記空間に投光可能な光源を設け、前記前面周壁部材を透明材料で形成し、前記底部周壁部材に光反射面を設けてあり、前記前面周壁部材を前記光散乱シート側に配置し、前記底部周壁部材を前記基材シート側に配置してある表示材である点にある。
【０００５】
〔作用及び効果〕
本発明の表示材は、光散乱シート、筒状スペーサ及び基材シートを、可撓性を備えた材料で形成してあるので、人体などの起伏のある部分に装着する場合でもその起伏に沿って装着し易く、例えば、衣類やベルトなどに取り付けて人体に沿わせて装着し易い。
さらに、筒状スペーサは、透明材料で形成してある前面周壁部材と、光反射面を設けてある底部周壁部材とで筒状に形成したものであり、前記前面周壁部材を光散乱シート側に配置し、前記底部周壁部材を基材シート側に配置するようにしてあるため、光反射面と光散乱シートとが筒状スペーサ内の空間を隔てて互いに対向するように組み付け易い。
またさらに、光反射面と光散乱シートとを筒状スペーサ内の空間を隔てて互いに対向するように設けて、その筒状スペーサの端部に設けた光源から筒状スペーサの空間内に投光するので、光源からの光を直接的に光散乱シートの広い範囲に分散して入射させたり、光源からの光を光反射面で反射させて、光散乱シートの広い範囲に分散して入射させたりすることができる。
そして、光散乱シートの広い範囲に分散して入射した入射光を散乱させて広い範囲で発光表示することができるとともに、光散乱シートで光反射面に向けて散乱した光は、再度、光散乱シートに向けて反射させて発光表示することができる。
従って、小さな光源を使用しながら、従来のような中実の光伝達部材を設けることなく、光源からの光を光散乱シートの広い範囲に分散するように入射させて、散乱状態で発光表示することができるので、表示面積が広くて視認性が優れ、全体重量の軽量化も図ることができる。
【０００６】
本発明による表示材の第２特徴構成は、前記前面周壁部材と、前記底部周壁部材とを樋状に湾曲させて、それら湾曲内面どうしが前記空間を挟んで互いに対向するように設けてある点にある。
【０００７】
前面周壁部材と、底部周壁部材とを樋状に湾曲させて、それら湾曲内面どうしが空間を挟んで互いに対向するように設けてあるので、光反射面と光散乱シートとが、互いに対向するように湾曲し得る。そのため、広い光反射面と広い光散乱シートとをコンパクトに配置することができ、また、光源からの光を光反射面の広い湾曲内面で光散乱シートの湾曲内面に向くように反射させて光散乱シートに効率良く入射させ易いとともに、光源からの光を直接的にも光散乱シートに入射させ易くなり、そのうえ、光散乱シートの湾曲内面に入射した入射光をその広い湾曲外面から大きな拡がり角度で放射させて発光表示することができ、光源からの光を効率良く利用して視認性を高めながら、表示材のコンパクト化を図ることができる。
【００１４】
本発明による表示材の第３特徴構成は、前記筒状スペーサの内側を外部に対して気密に設けてある点にある。
【００１５】
〔作用及び効果〕
筒状スペーサの内側を外部に対して気密に設けてあるので、人体に装着した場合に、他物との接当時に衝撃を吸収できるとともに、水中に転落したような場合でも浮力を確保することができ、装着者の安全を確保し易い。
本発明の安全ベストの特徴構成は、請求項１〜３のいずれか１項に記載の表示材を設けてある点にある。
〔作用及び効果〕
本発明の安全ベストは、視認性が優れ、全体重量も軽量であり、尚且つ可撓性を備えた材料で形成してあるので、人体に沿わせて装着し易い。
【発明を実施するための最良の形態】
【００１６】
以下に本発明の実施の形態を、夜間における道路工事や道路規制，各種保安作業などにおいて、安全確保の目的で作業者（誘導者) の存在を車両運転者などから容易に視認できるように作業者が着用する安全ベストを例示して説明する。
【００１７】
〔第１実施形態〕
図１，図２は、本発明による光表示装置Ａを設けてある安全ベストＣを示し、背中側を覆う後見頃１と、その左右両肩部に縫い付けて胸側に沿わせる帯状の左右前身頃２ａ，２ｂとを主としてメッシュ素材で形成し、腰回りに沿わせて装着する帯状裾部３を各前身頃２ａ，２ｂの下端部に設け、帯状裾部３どうしを、いわゆるマジックテープなどの面ファスナー４ａで接合自在に設けると共に、後見頃１の左右下端部と帯状裾部３とを面ファスナー４ｂで接合自在に設けてある。
【００１８】
そして、本発明による光表示装置Ａと点状に発光表示する点状発光体Ｂとを設けてある可撓性を備えた帯状の縦表示材５の二本を、前身頃２ａ，２ｂの夫々と後見頃１とに亘ってその外側にＶ字状に配置して縫い付けるとともに、点状発光体Ｂを内側に設けてある可撓性を備えた帯状の横表示材６を、各帯状裾部３ａ，３ｂと後身頃１の下端部との各々に縫い付けてある。
【００１９】
前記縦表示材５は、図３〜図５に示すように、白色に着色してある軟質塩化ビニル樹脂製の帯状基材シート７の両側部と、帯状の光散乱シート８の両側部とを互いに熱融着して、基材シート７と光散乱シート８との間に、光表示装置Ａを構成する長尺発光体９と点状発光体Ｂとを設けて構成してあり、光散乱シート８は、黄色に着色してある軟質塩化ビニル樹脂製の光透過性を備えた光透過膜を構成する帯状カバー材８ａの内面側に、透過光が散乱するようにガラスビーズを塗布した光散乱層（光散乱部) ８ｂを一体に設けて、車両などの照明灯からの光を光散乱シート８で乱反射させるだけでなく、照明灯からの光が照射されないようなときでも、長尺発光体９や点状発光体Ｂからの光による発光表示で着用者の存在を積極的に視認させることができるようにしてある。
【００２０】
前記光表示装置Ａは、最大外径よりも長さが長い長尺の可撓性を備えた筒状スペーサ（ブリスター) １０を、縦表示材５の長手方向に沿わせて、基材シート７の内面側に一体に固定すると共に、その筒状スペーサ１０の外面側に光散乱シート８の光散乱層８ｂ側を重ねて、光散乱シート８の筒状スペーサ１０との重なり部分を光表示面１１に構成してある。
【００２１】
前記筒状スペーサ１０は、硬質塩化ビニル樹脂製の可撓性を備えたフィルムを円弧状に湾曲させてある樋状の底部周壁部材１２の湾曲方向両側部と、硬質塩化ビニル樹脂製の可撓性を備えた透明フィルムを円弧状に湾曲させてある樋状の前面周壁部材１３の湾曲方向両側部とを、湾曲内面どうしが一連の空間Ｓを挟んで互いに対向するように接続して、二つの円弧の両端が互いに交叉する横断面形状の筒状に形成し、その径方向一側方に光反射面１４を設けるとともに、その光反射面１４に対向する径方向他側方の周壁部分（前面周壁部材) １３を透明材料で形成してある。
【００２２】
前記光反射面１４は、底部周壁部材１２の湾曲内面にアルミ箔製の反射シート１５を貼り付けて湾曲させてあり、光散乱シート８を光散乱層８ｂ側が前面周壁部材１３の外面側に沿うように重ねて湾曲させて、光反射面１４と帯状カバー材（光透過膜) ８ａの湾曲内面どうしが一連の空間Ｓを隔てて対向するように設けるとともに、前面周壁部材１３に重なっている光散乱シート８部分で帯状の光表示面１１を形成してある。
【００２３】
そして、一連の空間Ｓの光反射面１４と帯状カバー材８ａとの対向範囲の端部である筒状スペーサ１０の長手方向両端部をシリコーン樹脂製の端部壁部材１６で塞ぐとともに、発光ダイオード（光源) １７をその発光部位が一連の空間Ｓに入り込むように端部壁部材１６の各々に固定して、筒状スペーサ１０の長手方向両端側から一連の空間Ｓ内に投光可能に設けてある。
【００２４】
前記横表示材６は、縦表示材５と同様に両側部を互いに熱融着してある基材シート７と光散乱シート８との間に点状発光体Ｂを設けて構成してあり、この点状発光体Ｂは、例えば登録実用新案第３０２０５４３号公報に記載されているような、発光ダイオードを硬質透明カバーで囲んで、発光ダイオードからの光を透明カバーと光散乱シート８とを通して発光表示できるように構成してある公知のものである。
【００２５】
そして、電池１８や電源オン・オフ用の押しボタン式スイッチ１９，点滅用の駆動回路などを備えた駆動装置２０を一方の前身頃２ｂの裏側に設けて、各長尺発光体９と各点状発光体Ｂとに接続し、縦表示材５の上側からのスイッチ１９のオン操作で、各光表示装置Ａと各点状発光体Ｂとを一斉に点滅させて発光表示できるように構成してある。
【００２６】
〔第２実施形態〕
図示しないが、実施例１において、底部周壁部材１２の湾曲方向両側部と前面周壁部材１３の湾曲方向両側部とを気密に接続するとともに、その長手方向両端部を端部壁部材１６で気密に塞いで、筒状スペーサ１０の内側を外部に対して気密に設けてあっても良い。  その他の構成は第１実施形態と同様である。
【００２７】
〔その他の実施形態〕
１．本発明による光表示装置は、円形や星形などの各種形状の光反射面と光透過膜とを、一連の空間を隔てて互いに対向するように設けてあっても良い。
２．本発明による光表示装置は、扁平な光反射面と光透過膜とを、一連の空間を隔てて互いに対向するように設けてあっても良い。
３．本発明による光表示装置は、光反射面と光透過膜とを、例えばかご状に組んである枠体を挟んで、一連の空間を隔てて互いに対向するように設けてあっても良い。
４．本発明による光表示装置は、光透過膜の前面（外面) 側に光散乱部を設けてあっても良い。
５．本発明による光表示装置は、透過光が散乱するように光透過膜自体の表面荒さなどを調整して構成してある光散乱部を設けてあっても良い。
６．本発明による光表示装置は、単一の光源を設けてあっても良い。
７．本発明による光表示装置は、横断面形状が円形や多角形の筒状スペーサを設けてあっても良い。
８．本発明による光表示装置は、ハロゲンランプやレーザー光，光ファイバーの端面から発する光などを光源とするものであっても良い。
９．本発明による光表示装置は、光源を点滅させずに、連続的に点灯して使用するものであっても良い。
１０．本発明による光表示装置は、光反射面や光透過膜，筒状スペーサなどを可撓性を備えない硬質材料で形成してあっても良い。
１１．本発明による光表示装置は、各種の備品に付設して使用するものであっても良く、例えば鳥などの動物を近寄らせないために設置して使用するものでも良い。
１２．本発明による光表示装置は、注意を喚起する目的で発光表示する各種用途に使用できる。
【図面の簡単な説明】
【００２８】
【図１】（イ)   光表示装置を設けてある安全ベストを示す正面図，（ロ)   光表示装置を設けてある安全ベストを示す背面図
【図２】安全ベストの着用状態を示す斜視図
【図３】要部の斜視図
【図４】要部の横断面図
【図５】要部の縦断面図
【符号の説明】
【００２９】
８ａ  光透過膜
８ｂ  光散乱部
１０  筒状スペーサ
１１  光表示面
１４  光反射面
１３  周壁部分
１７  光源
Ｓ    空間
【図１】
0003808062.tif 000002
【図２】
0003808062.tif 000003
【図３】
0003808062.tif 000004
【図４】
0003808062.tif 000005
【図５】
0003808062.tif 000006